(57)【要約】  少なくとも１つのアーム（４）がクレーンの釣合いを維持するようにアーム（４）または各アーム（４）に対して移動する支持体の一方の端部（２）から外側に延び、釣合い重り手段（６）が支持体の他方の端部（３）から延びる伸縮可能な支持体を備え、アーム（４）および釣合い重り（６）が駆動ベルト（１０）によって駆動される、カメラ等を支持するための伸縮可能なクレーン。
2008523678.tif 000002
【特許請求の範囲】
【請求項１】
カメラ等を支持するための伸縮可能なクレーンであって、
伸縮可能な支持体を備え、前記支持体は、その一端から外側に延びる少なくとも１つのアームと、前記支持体の他端から伸び、各アームに対して移動して、前記クレーンの釣合いを維持する釣合い重り手段とを有し、
前記アームおよび釣合い重りが駆動ベルトによって駆動されることを特徴とするクレーン。
【請求項２】
前記クレーンの前端部から延びる複数のアームを備え、アームが補助ベルトによって駆動される、請求項１に記載の、伸縮可能なカメラ用クレーン。
【請求項３】
前記ベルトおよび／または補助ベルトが溝を有している、請求項１または２に記載の、伸縮可能なカメラ用クレーン。
【請求項４】
前記釣合い重り手段が調整可能なウエイト支持台車を備える、請求項１から３のいずれか１つに記載の、伸縮可能なカメラ用クレーン。
【請求項５】
アームがアルミニウムから形成される、請求項１から４のいずれか１つに記載の、伸縮可能なカメラ用クレーン。
【請求項６】
アームおよびベルトがハウジング内に収容される、請求項１から５のいずれか１つに記載の、伸縮可能なカメラ用クレーン。
【発明の詳細な説明】
【技術分野】
【０００１】
本発明は、伸縮可能なカメラクレーンに関する。
【背景技術】
【０００２】
伸縮可能なクレーンは、撮影時にカメラを操作するためにテレビジョンおよび映画業界で広く使用される。このクレーンにより、伸縮可能なアームに取り付けられたカメラが１ショットに対して移動できる。従来、伸縮可能なクレーンは、伸縮可能なアームのいかなる伸縮に対しても釣合いを保持する釣合い重りシステムを有する。
【０００３】
従来、伸縮可能なアームは、ワイヤロープとプーリとのシステムを用いて動かされる。ワイヤロープは、釣合い重りの自重に耐え得る十分な高い破断張力を有する。しかし、ワイヤロープのこの破断張力は、カメラクレーンを操作する場合に、時々遭遇し得るアームの高速移動およびそれに伴う高い慣性を許容するには十分ではない。このワイヤロープの破断は、クレーンの下のセットにいる観客または関係者に非常に危険であり、クレーンによって運搬されるカメラ装置が激しく損傷し、または破壊する虞がある。また、従来のロープとプーリとのシステムは、高速運動時に、ロープがプーリから飛び跳ねる場合があるので危険である。
【発明の開示】
【発明が解決しようとする課題】
【０００４】
本発明は、上述の問題を克服し、または、少なくとも軽減するためになされたものであり、カメラが急速に移動する場合でも、改善された安全性能を有し、改善された強度および安定性を有する伸縮可能なカメラクレーンを提供することを目的とする。
【課題を解決するための手段】
【０００５】
本発明は、少なくとも１つのアームがクレーンの釣合いを維持するように前記アームまたは各アームに対して移動する支持体の一方の端部から外側に延び、釣合い重り手段が前記支持体の他方の端部から延びる伸縮可能な支持体を備え、前記アームおよび釣合い重りが駆動ベルトによって駆動される、カメラ等を支持するための伸縮可能なクレーンを提供するものである。
【０００６】
ベルトで駆動されることによって、クレーンは急速に移動するカメラを安全に支持することができる。アームを前方に、および釣合い重りを後方に運ぶように単一のベルトを使用することによって、クレーンは急速にかつ正確に釣合いを維持することができる。
【０００７】
伸縮可能なカメラクレーンは、カメラ、またはカメラもしくはマイクロホンを含む（しかし限定されない）同様な音声装置もしくは視覚装置を支持できることが理解されよう。
【０００８】
伸縮可能なカメラクレーンは、クレーンの前端部から延びる複数のアームを備え、各アームは補助ベルトによって駆動されることが好ましい。
【０００９】
複数のアームを設けることによって、クレーンは長さの範囲を拡大し、近づき難い角に到達することができる。補助ベルトを用いて各アームを駆動することによって、クレーンは製造することがより安全により容易になる。モジュラーシステムにより小さな空間でクレーンを解体しおよび再組立てすることがより容易になり、クレーンを運送する場合の「中断時間」が低減される。
【００１０】
主ベルトおよび／または補助駆動ベルトは溝を付けられることが好ましい。
【００１１】
溝付きベルトを設けることにより、伸縮可能なクレーンは前記アームまたは各アームの伸長および引込みの間にスリップする可能性をより少なくする。
【００１２】
釣合い重り手段は調整可能なウエイト支持台車を備えることが好ましい。
【００１３】
調整可能なウエイト支持台車を設けることにより伸縮可能なクレーンは、含まれるアームおよびベルトの数に応じて使用中に調整することができる。
【００１４】
少なくとも１つのアームはアルミニウムから形成されることが好ましい。
【００１５】
アルミニウムから形成されるアームは、丈夫で使用に耐え、軽量で主ベルトおよび補助ベルトに対する負荷を低減する。
【００１６】
少なくとも１つのアームおよび少なくとも１つの駆動ベルトがハウジング内に収容されることが好ましい。
【００１７】
ハウジングを設けることによって可動部品のすべてが収容され、伸縮可能なカメラクレーンはよりスマートな外観を有し使用がより安全である。
【００１８】
添付の概略図面について例示として本発明を説明する。
【発明を実施するための最良の形態】
【００１９】
図１を参照して、伸縮可能なカメラクレーンは前方端部２および後方端部３を備えた、支持体としてのハウジング１を含む。第１のアーム４がハウジング１の前方端部２から延びている。アーム４の前方端部２は、その上にカメラ（図示せず）が載ることができるクレードル５を含む。釣合い重りシステム６がハウジング１の後方端部３から延びている。図２に示すように釣合い重りシステム６は、ハウジング１の長手に直角にぶら下がっているウエイト支持レール７を含む。ウエイト支持レール７はウエイト８を取り付けることができる取付け手段を含む。
【００２０】
第１のアーム４は入れ子式に伸長可能であり、引込み可能である。第１のアーム４はクランプ手段９によって主駆動ベルト１０にクランプされる。第１のアーム４の上面は主駆動ベルト１０の下面に沿って走行する。主駆動ベルト１０は、アーム４の後方端部３に取り付けられた、はめば歯車１１を取り巻いて通過する。主駆動ベルト１０は張力下で保持され、第２のはめば歯車１２の周りに引き伸ばされる。図３に示すように、駆動ベルト１０は溝を付けられ、はめば歯車１１およびはめば歯車１２の周りに確実に保持される。第１のはめば歯車１１および第２のはめば歯車１２はそれぞれ第１の車軸および第２の車軸１３の周りに回転可能であり、この第１の車軸および第２の車軸は、ベルト１０が張力下で常に保持されることを確実にするように調整可能である。釣合い重りシステム６は主駆動ベルト１０にクランプされる。
【００２１】
第１のアーム４が入れ子式に伸長されると、主駆動ベルト１０は、２つのはめば歯車１１およびはめば歯車１２の周りを移動して、釣合い重りシステム６の位置の調整と伸縮可能なカメラクレーンの釣合いの維持を同時に行う。
【００２２】
使用時に、ハウジング１の中点が「カメラ移動車」（図示せず）に枢止されることになり、このカメラ移動車は伸縮可能なクレーン全体の移動を可能にするように転動軌道に沿って移動できる。あるいは、このクレーンは上方から懸架され、または他の支持体システムに取り付けられることもできる。
【００２３】
本発明の他の実施形態では図４に示すように、図１の第１のアーム４および主駆動ベルト１０に加えて、第２のアーム１４が第１のアーム４内に入れ子式に取り付けられる。第２のアーム１４は入れ子式に伸長可能であり、引込み可能である。
【００２４】
図５に示すように、補助駆動ベルト１９は溝を付けられ、自由回転はめば歯車１５および自由回転はめば歯車１６の周りに張力下で確実に保持される。第１のアーム４はブロック１７およびブロック１８によって補助ベルト１９に取り付けられる。補助ベルト１９はクランプ２０によってハウジング１に取り付けられる。第２のアーム１４はクランプ２５によって補助駆動ベルト１９に取り付けられる。
【００２５】
第１のアーム４がハウジング１の前方に伸長されると、主駆動ベルト１０ははめば歯車１１およびはめば歯車１２の周りで反時計回りに移動する。同時に主駆動ベルト１０は釣合い重りシステム６を移動する。補助駆動ベルト１９は同時にはめば歯車１５およびはめば歯車１６の周りを移動して第１のアーム４の前方に第２のアーム１４を伸長する。
【００２６】
アーム４およびアーム１４は双方とも精密研削されたレールおよび玉軸受ブロックによって導かれて入れ子式に伸長し引込む。
【００２７】
追加のアームを伸縮可能なクレーンに加えることができる。補助駆動ベルトおよび自由回転はめば歯車の同様な配置が追加のアームについて必要であろう。
【００２８】
上述の実施形態は例示としてのみ与えたものであり、本発明の範囲を逸脱することなく本発明に多数の変型が施され得ることが精通した読者にはもちろん理解されよう。
【図面の簡単な説明】
【００２９】
【図１】本発明による伸長した形態の伸縮可能なカメラクレーンの側面図である。
【図２】図１の領域Ａに示す伸縮可能なカメラクレーンの釣合い重り手段の拡大図である。
【図３】図１の伸縮可能なカメラクレーンの主ベルトによる駆動の拡大図である。
【図４】本発明の好ましい実施形態の伸縮可能なカメラクレーンの側面図であり、複数のアームが引込んだ形態の伸縮可能なカメラクレーンを示す図である。
【図５】図４の伸縮可能なカメラクレーンの補助ベルトおよびアームの配置の拡大図である。
【図６】図４の伸縮可能なカメラクレーンの側面図であり、伸長した形態の複数のアームを示す図である。
【図１】
2008523678.tif 000003
【図２】
2008523678.tif 000004
【図３】
2008523678.tif 000005
【図４】
2008523678.tif 000006
【図５】
2008523678.tif 000007
【図６】
2008523678.tif 000008
【国際調査報告】
2008523678.tif 000009
2008523678.tif 000010